(57)【要約】［ａ.１］少なくとも１つのベースステーション（１０）であって、［ａ.２］少なくとも１つのＬＣ共振回路（１３、１６）であって、［ａ.２.１］コイルの形式の少なくとも１つのアンテナユニット（１６）、及び［ａ.２.２］アンテナユニット（１６）に直列接続された少なくとも１つの容量ユニット（１３）を有する当該ＬＣ共振回路（１３、１６）が、前記ベースステーションに割り当てられ、前記ベースステーションが、特に、移動手段、アクセスシステム又は入力システムのような、不正使用及び／又は不正アクセスから守られるべき対象に配置された当該ベースステーション（１０）と、［ｂ.１］少なくとも１つのトランスポンダステーション（４０）であって、［ｂ.２］コイルの形式の少なくとも１つのアンテナユニット（４４）が前記トランスポンダステーションに割り当てられ、前記トランスポンダステーション（４０）が、特に、許可されたユーザにより持ち運ばれることができ、及び／又は前記ベースステーション（１０）とデータ信号（２２、２４）を交換するように設計され、使用及び／又はアクセス権利が決定され、及び／又は前記ベースステーション（１０）がこれらのデータ信号（２２、２４）を用いて適宜に制御されることができる当該トランスポンダステーション（４０）とを備えた電子通信システム（１００）が、ＬＣ共振回路（１３、１６）の共振周波数の離調がもはや生じないことが信頼されることができるように更に開発されることができるために、ＬＣ共振回路（１３、１６）の共振周波数が、所定の所望値に設定され、及び／又はアンテナユニット（１６）と並列に及び／又は容量ユニット（１３）と並列に接続された少なくとも１つの同調回路（１７、１８）を用いて較正されることが提案されている。
2006526329.tif 000002
【特許請求の範囲】
【請求項１】
［ａ.１］少なくとも１つのベースステーションであって、
［ａ.２］少なくとも１つのＬＣ共振回路であって、
［ａ.２.１］コイルの形式の少なくとも１つのアンテナユニット、及び
［ａ.２.２］前記アンテナユニットに直列接続された少なくとも１つの容量ユニット
を有する当該ＬＣ共振回路が、前記ベースステーションに割り当てられ、前記ベースステーションが、特に、移動手段、アクセスシステム又は入力システムのような、不正使用及び／又は不正アクセスから守られるべき対象に配置された当該ベースステーションと、
［ｂ.１］少なくとも１つのトランスポンダステーションであって、
［ｂ.２］コイルの形式の少なくとも１つのアンテナユニット
が前記トランスポンダステーションに割り当てられ、前記トランスポンダステーションが、特に、許可されたユーザにより持ち運ばれることができ、及び／又は前記ベースステーションとデータ信号を交換するように設計され、使用及び／又はアクセス権利が決定され、及び／又は前記ベースステーションがこれらのデータ信号を用いて適宜に制御されることができる当該トランスポンダステーションと、
を備えた電子通信システムにおいて、
［ｃ.１］少なくとも１つの同調回路であって、
［ｃ.１.１］少なくとも１つの容量ユニットの形式又は少なくとも１つの誘導ユニットの形式の少なくとも１つの第１素子と、
［ｃ.１.２］前記第１素子に直列接続された少なくとも１つの調整レジスタであって、前記調整レジスタの可変抵抗値が、前記ＬＣ共振回路の共振周波数を設定及び／又は調整するために制御されることができる当該調整レジスタと、
を備えた当該同調回路が、前記アンテナユニットと並列に及び／又は前記容量ユニットに並列に接続されることを特徴とする電子通信システム。
【請求項２】
少なくとも１つの第１レジスタが、前記容量ユニットに対して及び前記アンテナユニットに対して直列接続され、及び／又は
少なくとも１つの第２レジスタが、前記アンテナユニットと前記容量ユニットとの間に接続されることを特徴とする、
請求項１に記載の通信システム。
【請求項３】
［ｄ.１］少なくとも１つのベースステーションであって、
［ｄ.２］少なくとも１つのＬＣ共振回路であって、
［ｄ.２.１］コイルの形式の少なくとも１つのアンテナユニット、及び
［ｄ.２.２］前記アンテナユニットに直列接続された少なくとも１つの容量ユニット
を有する当該ＬＣ共振回路に前記ベースステーションが割り当てられ、
前記ベースステーションが、特に、移動手段、アクセスシステム又は入力システムのような不正使用及び／又は不正アクセスから守られるべき対象に配置された当該ベースステーションと、
［ｅ.１］少なくとも１つのトランスポンダステーションであって、
［ｅ.２］コイルの形式の少なくとも１つのアンテナユニット
が前記トランスポンダステーションに割り当てられ、前記トランスポンダステーションが、特に、許可されたユーザにより持ち運ばれることができ、及び／又は前記ベースステーションとデータ信号を交換するように設計され、使用及び／又はアクセス権利が決定され、及び／又は前記ベースステーションが、これらのデータ信号を用いて適宜に制御されることができる当該トランスポンダステーションと、
を有する電子通信システムに対するベースユニット、特にトランスポンダ通信装置であって、
［ｆ.１］少なくとも１つの同調回路が前記アンテナユニットと並列に及び／又は前記容量ユニットと並列に接続され、前記少なくとも１つの同調回路が、
［ｆ.１.１］少なくとも１つの容量ユニットの形式又は少なくとも１つの誘導ユニットの形式の少なくとも１つの第１素子と、
［ｆ.１.２］前記第１素子に直列接続された少なくとも１つの調整レジスタであって、前記調整レジスタの可変抵抗値が、前記ＬＣ共振回路の共振周波数を設定及び／又は較正するために制御されることができる当該調整レジスタと、
を有する前記ベースユニットにおいて、
少なくとも１つのベースステーション、
前記ベースステーションに接続された少なくとも１つのマイクロコントローラユニット及び／又は
前記マイクロコントローラユニットに接続された少なくとも１つの（アナログ）インターフェース
を特徴とするベースユニット。
【請求項４】
少なくとも１つの第１レジスタが、前記容量ユニット及び前記アンテナユニットに直列接続され、
少なくとも１つの第２レジスタが、前記アンテナユニットと前記容量ユニットとの間に接続される
ことを特徴とする、請求項３に記載のベースユニット。
【請求項５】
少なくとも１つのデジタル／アナログ変換器ユニットが、前記マイクロコントローラユニットの少なくとも１つのクロック出力部と前記調整レジスタとの間に接続されることを特徴とする、
請求項３又は４に記載のベースユニットを有する請求項１又は２に記載の通信システム。
【請求項６】
電子通信システムに対するトランスポンダステーションであって、前記電子通信システムが、
［ｇ.１］少なくとも１つのベースステーションであって、
［ｇ.２］少なくとも１つのＬＣ共振回路であって、
［ｇ.２.１］コイルの形式の少なくとも１つのアンテナユニット、及び
［ｇ.２.２］前記アンテナユニットに直列接続された少なくとも１つの容量ユニット
を有する当該ＬＣ共振回路が、前記ベースステーションに割り当てられ、前記ベースステーションが、特に、移動手段、アクセスシステム又は入力システムのような不正使用及び／又は不正アクセスから守られるべき対象に配置された当該ベースステーションと、
［ｈ.１］少なくとも１つのトランスポンダステーションであって、
［ｈ.２］コイルの形式の少なくとも１つのアンテナユニット
が前記トランスポンダステーションに割り当てられ、前記トランスポンダステーションが、特に、許可されたユーザにより持ち運ばれることができ、及び／又は前記ベースステーションとデータ信号を交換するように設計され、使用及び／又はアクセス権利が決定され、及び／又は前記ベースステーションが、これらのデータ信号を用いて適宜に制御されることができる当該トランスポンダステーションと、
を有し、
［ｉ.１］少なくとも１つの同調回路であって、
［ｉ.１.１］少なくとも１つの容量ユニットの形式又は少なくとも１つの誘導ユニットの形式の少なくとも１つの第１素子と、
［ｉ.１.２］前記第１素子に直列接続された少なくとも１つの調整レジスタであって、前記調整レジスタの可変抵抗値が、前記ＬＣ共振回路の共振周波数を設定及び／又は調整するために制御されることができる当該調整レジスタと、
を備えた当該同調回路が、前記アンテナユニットと並列に及び／又は前記容量ユニットに並列に接続される、前記電子通信システムに対する前記トランスポンダステーションにおいて、
前記アンテナユニットに接続された少なくとも１つの電気又は電子回路構成を特徴とするトランスポンダステーション。
【請求項７】
少なくとも１つの第１レジスタが、前記容量ユニット及び前記アンテナユニットに直列接続され、及び／又は
少なくとも１つの第２レジスタが、前記アンテナユニットと前記容量ユニットとの間に接続される、
ことを特徴とする、請求項６に記載のトランスポンダステーション。
【請求項８】
少なくとも１つのデジタル／アナログ変換器ユニットが、マイクロコントローラユニットの少なくとも１つのクロック出力部と前記調整レジスタとの間に接続されることを特徴とする、
請求項６又は７に記載のトランスポンダステーション。
【請求項９】
少なくとも１つのベースステーションに割り当てられた少なくとも１つのＬＣ共振回路のコイルの形式の少なくとも１つのアンテナユニットと、少なくとも１つのトランスポンダステーションのコイルの形式の少なくとも１つのアンテナユニットとの間でデータ信号が交換される少なくとも１つの電子通信システムを動作する方法であって、
前記ベースステーションが、特に、移動手段、アクセスシステム又は入力システムのような不正使用及び／又は不正アクセスから守られるべき対象に配置され、
使用及び／又はアクセス権利が決定され、及び／又は前記ベースステーションがこれらのデータ信号を用いて適宜に制御される方法において、
前記ＬＣ共振回路の共振周波数が、所定の所望値に設定され、及び／又は前記アンテナユニットと並列に及び／又は前記容量ユニットと並列に接続された少なくとも１つの同調ユニットを用いて較正されることを特徴とする方法。
【請求項１０】
前記ＬＣ共振回路の共振周波数を設定及び／又は較正するために、前記同調回路の少なくとも１つの調整レジスタの可変抵抗値が調整されることを特徴とする、
請求項９に記載の方法。
【請求項１１】
請求項１、２又は５に記載の少なくとも１つの電子通信システム、特に請求項３又は４に記載の少なくとも１つのベースユニットに割り当てられた少なくとも１つのＬＣ共振回路の共振周波数を設定及び／又は較正する調整方法。
【請求項１２】
移動手段、アクセスシステム又は入力システムのような前記通信システムにより守られるべき対象に入力又は同等のことを行うために、使用する権利を確認するため、及び／又は認証及び／又は識別の目的での請求項１、２又は５の少なくとも１項に記載の少なくとも１つの電子通信システム、特に請求項３又は４に記載の少なくとも１つのベースユニット及び／又は特に請求項６、７、又は８に記載の少なくとも１つのトランスポンダステーションの使用法。
【発明の詳細な説明】
【技術分野】
【０００１】
本発明は、一般には、セキュリティシステムの技術分野に関し、特には、例えば移動手段の分野、特に自動車の分野で使用される電子イモビライザ（immobilizer）システムに関する。
【０００２】
特に、本発明は、請求項１の前提部分（pre-characterizing part）に記載された電子通信システム、及び請求項７の前提部分に記載されたこの種の少なくとも１つの電子通信システムを動作する方法に関する。
【背景技術】
【０００３】
とりわけ、例えば従来のパッシブトランスポンダシステムを備えた前述の種類の通信システムを実現するために、様々なシステム構成が従来的に使用されている。前述の種類のセキュリティシステムを実現する１つの可能な構成は、自動車に対する電子イモビライザシステムの例を参照する図面の図１に示されている。
【０００４】
コイル（ＬＣ共振回路１３、１６の構成要素）の形式をとる関連したアンテナユニット１６を有するいわゆるベースステーション（base station）１０は、第一にトランスポンダステーション（transponder station）４０に誘導的に電力を供給し、即ちトランスポンダステーション４０は、誘導磁場を介して供給され、第二に、認証目的に対する通信シーケンスが、ベースステーション１０とトランスポンダステーション４０（→例えば１２５ｋＨｚの誘導チャネル搬送周波数を有する周知のトランスポンダシステム）との間で行われる。
【０００５】
詳細には、ベースステーション１０とトランスポンダステーション４０との間の信号伝送接続部として、例えば誘導結合を有する少なくとも１つのＬＦ（低周波）チャネルの形式をとり、ベースステーション１０からトランスポンダステーション４０まで前記信号を介して伝送されるいわゆるアップリンクフレーム２２と、例えば少なくとも１つのＬＦチャネルの形式をとり、トランスポンダステーション４０からベースステーション１０まで前記信号を介して伝送されるいわゆるダウンリンクフレーム２４とが存在する。
【０００６】
図１に示されるような電子通信システム１００の典型的な構成を参照すると、ベースステーション１０により動作されるＬＣ共振回路１３、１６が、一般に中間レジスタ１５に割り当てられたベースステーション１０の出力端子を介して、及び容量素子１３に割り当てられたベースステーション１０の出力端子を介して図１において、例えば１２５ｋＨｚの搬送周波数で、比較的正確なクロック（←→水晶又はセラミック共振子基準値）で起動されることは、覚えておかれるべきである。
【０００７】
ＬＣ共振回路１３、１６の構成要素１３及び１６の許容範囲、並びに温度効果及び／又はエージング過程の結果として、ＬＣ共振回路１３、１６の比較的不正確な共振周波数が生じる。ＬＣ共振回路１３、１６のこの離調（detuning）は、前記トランスポンダシステムの電力２０の範囲の減少を引き起こし、また特に復調の間にデータ２２、２４の伝送中の状況の都合を悪くし、変調は、ＬＣ共振回路１３、１６の不正確な共振周波数により影響を受ける。
【０００８】
加えて、ＬＣ共振回路１３、１６の共振周波数からベースステーション１０のデジタル機能グループ（digital function group）（及び適用可能な場合には、更に接続された構成要素）に供給するシステムクロックを算出するベースステーション１０が存在する。ここで、前記共振周波数の許容範囲は、不正確なシステムクロックを引き起こし、不正確なシステムクロックは、多数のタイミング問題を引き起こす可能性がある。
【０００９】
例えば、より厳しい必要条件が、現在、特定の構成要素の機能、安全性及び信頼性に要求されていることは、正確に自動車の分野又はアクセスの分野にあるという事実から見て、個々の構成要素の間の通信の障害を考慮し、前記電子通信システムの減少された範囲をも考慮すると、図１に示された構成はもはや時代に対して適切であるとは考えられない。
【発明の開示】
【発明が解決しようとする課題】
【００１０】
上述の不利点及びアクセスしにくさ（inaccessibilities）の根拠から始め、且つ要点を述べられた従来技術を認めると、本発明の目的は、ＬＣ共振回路の共振周波数の離調がもはや生じないことが信頼されることができるように、上述の種類の方法及び電子通信システムを更に開発することである。
【課題を解決するための手段】
【００１１】
この目的は、請求項１に記載のフィーチャを有する電子通信システムにより、及び請求項７に記載のフィーチャを有する方法により達成される。本発明の有利な実施例及び好都合な他の実施例は、それぞれの従属請求項において識別される。
【００１２】
本発明の教示は、したがって、ＬＣ共振回路の共振コイルと並列に又は共振キャパシタと並列に接続された、ＲＣ組み合わせ又はＲＬ組み合わせを用いる少なくとも１つのＬＣ共振回路の共振周波数の設定に基づき、ここで前記ＲＣ組み合わせ又は前記ＲＬ組み合わせのレジスタＲの値は、本発明により連続的に調整可能である。
【００１３】
前記ＬＣ共振回路の共振周波数の較正は、少なくとも１つの制御方法により前記ＲＣ組み合わせ又は前記ＲＬ組み合わせの抵抗値の制御によって行われる。本発明の好適な実施例によると、どんな制御アルゴリズムでも、原理的には、ＬＣ振動子の制御された較正を実現するためにここで使用されることができる。本発明に関して、必要とされる水晶振動子又はセラミック振動子の数は、基準周波数を発生するために、本発明により単一の水晶振動子又は単一のセラミック振動子に減少されることができるので、通信エレクトロニクスの分野の専門家、例えばセキュリティシステムの分野の広い知識を有する電子技術者は、システムコストの大幅な減少が有利に達成されることができることを理解するであろう。
【００１４】
更に他の重大な利点は、センササポート制御回路（sensor-supported control circuit）における本発明の使用の結果としての共振周波数のエージング効果の補償及び／又は温度ドリフトの補償である。加えて、トランスポンダシステムにおけるデータ及び電力の伝送に対する最適な状態は本発明により作成される。
【００１５】
本発明の更に他の利点は、クロック生成器の完全な一体化（←→より小さく、よりコスト効率の良いハウジング）による前記ベースステーションにおける外部水晶に対して必要な端子（ピンとして知られる）の減少にある。ある程度本発明の副産物である周波数を調整する追加の単純な機能（周波数変調として知られる）に加えて、（他の）水晶振動子又は（他の）セラミック振動子の非刺激のリスクの除去から生じるシステムセキュリティの大幅な増加は、有利に本発明により言及されることができる。
【００１６】
この方法の１つの好都合な実施例によると、最近使用されている較正値は、次の再較正に対する最適な開始値として使用されることができ、行われた各較正の後に、前記較正値は、恒久的に又はマイクロコントローラにより、例えば少なくとも１つのＥＥＰＲＯＭ（電気的消去可能プログラマブル読取専用メモリ）、即ちマイクロプロセッサ内の少なくとも１つのメモリ要素に記憶されることができ、前記メモリ要素の内容は変更されることができ、前記システムがオフに切り替えられた後でも前記データは残る。
【００１７】
本発明にとって重要な更に他の実施例において、追加の耐干渉性は、もっともらしさ（plausibility）の確認の追加により達成されることができる。この場合、測定された周波数又は測定された位相は、個々の較正ステップの間で比較される。この測定は、信号干渉により破損されて、値が可能な値の範囲の外になる可能性がある。このような場合には、前記較正は再び便宜上開始される。
【００１８】
本発明の有利な実施例によると、デジタル機能グループのクロック供給は、前記ＬＣ共振回路からフィードされる少なくとも１つの自由に共振する振動子により実現されることができ、このＬＣ共振回路は、この方法を用いて較正される。この文脈において、例えば入力信号の端からのクロック生成の形式で、前記デジタル機能グループに供給するためにより高いクロック周波数を生成する少なくとも１つのクロック乗算器回路は、有利に使用されることができる。
【００１９】
上で説明された種類の少なくとも１つのベースユニットと、
上で説明された種類の少なくとも１つのトランスポンダステーションと、
上で説明された種類の少なくとも１つの電子通信システム、特に上で説明された種類の少なくとも１つのベースユニットに割り当てられた少なくとも１つのＬＣ共振回路の共振周波数を設定及び／又は較正する制御方法と、
にも拡張する本発明は、移動手段、特に自動車に対するイモビライザシステムの分野で幅広く使用されているトランスポンダシステムにおいて有利に使用されることができる。
【００２０】
本発明の１つの他の応用分野は、セキュリティを構築する分野にあり、前記電子通信システムは、ベースステーションを用いるものもトランスポンダステーションを用いるものも両方とも、トランスポンダに基づく安全な入力システム（entry system）又は安全なアクセスシステムを実現するのに有利に適している。
【００２１】
したがって、前記ベースステーションは、特に、移動手段、アクセスシステム又は入力システムのような不正アクセス及び／又は不正使用から守られるべき対象に配置される。
【００２２】
この文脈において、本発明は、使用されるＬＣ共振回路の共振周波数の精度及び安定性が重要であるシステムにおいて一般的に使用される。本発明の応用範囲は、したがって対応するＬＣ共振回路を備えた多数の最も多様な応用を含む。１つの実施例として既に述べられたものは、自動車に対する電子イモビライザシステムであり、これは一般にＬＣ共振回路を起動するベースステーションを有する。前記ベースステーションは、典型的には、データラインを介して前記ベースステーションに接続されたマイクロコントローラにより制御される。
【００２３】
前記ベースステーションの正確なクロック供給（及び適用可能であれば、接続されたマイクロコントローラの正確なクロック供給も）が、例えば自由に共振する振動子を用いて前記ＬＣ共振周波数から算出されるべきである場合には、とりわけ、前記ＬＣ共振回路の共振周波数の精度及び安定性が重要である。
【００２４】
加えて、前記共振周波数が温度又はエージング等のような全ての状況下で例えば１２５ｋＨｚのパッシブトランスポンダシステムの搬送周波数と可能な限り一致する場合のみに最適な電力伝送が存在する限り、前記ＬＣ共振回路の共振周波数の精度及び安定性は重要な役割を果たす。
【００２５】
本発明の典型的な応用分野は、工業的応用又は自動車の分野におけるパッシブトランスポンダシステムである。フィルタ、特にＬＣフィルタ、又はセンサインターフェースエレクトロニクスのような正確なＬＣ回路を用いて動作する多くの他の応用分野が可能である。
【００２６】
本発明の他の設計、フィーチャ及び利点は、以下の図２及び３を参照して詳細に説明され、示される。
【００２７】
同一又は同様な実施例、要素又はフィーチャは、図１ないし３において同一の参照番号を与えられる。
【発明を実施するための最良の形態】
【００２８】
２つの実施例に関して図２及び３に示されるように、とりわけ自動車に対する電子イモビライザシステムの形式のセキュリティシステムの一部であるトランスポンダシステム（←→トランスポンダステーション４０）を備えた電子通信システム１００は、本発明により実現される。
【００２９】
トランスポンダステーション自体４０は、前記自動車の許可されたユーザにより持ち運ばれることができ、このために、トランスポンダステーション４０は、例えば前記自動車のイグニションロックに属する鍵のウェブ（web）に組み込まれることができる。
【００３０】
図２及び３に示されるのは、本発明にとって重要な様式で、トランスポンダ通信装置の形式をとるベースステーション１０を有するベースユニット３０であり、２つのレジスタ１１及び１５並びにコイルの形式をとり、２つのレジスタ１１と１５との間に接続され、容量ユニット（＝キャパシタ１３）に接続されたアンテナユニット１６に加えて、マイクロコントローラユニット１２と、マイクロコントローラユニット１２に接続されたアナログインターフェースユニット１４とを備える。
【００３１】
一方では、アンテナユニット１６は、トランスポンダステーション４０に誘導的に電力２０を供給し、即ちトランスポンダステーション４０は誘導磁場を介してフィードされ、他方では、トランスポンダステーション４０のアクティブ状態（図２及び３を参照）において、ベースステーション１０とトランスポンダステーション４０との間の識別及び認証に対する通信シーケンスは、データ信号２２及び２４がベースステーション１０とトランスポンダステーション４０との間で交換される目的で行われ、自動車に対する使用及び／又はアクセス権利がこれらのデータ信号２２及び２４を用いて決定されるだけでなく、ベースステーション１０も適宜に制御されることができる。
【００３２】
詳細には、ベースステーション１０とトランスポンダステーション４０との間の信号伝送リンクとして、例えば誘導結合を有する少なくとも１つのＬＦ（低周波）チャネルの形式をとり、ベースステーション１０からトランスポンダステーション４０まで前記信号を介して伝送されるアップリンクフレーム２２と、例えば少なくとも１つのＬＦ（低周波）チャネルの形式をとり、トランスポンダステーション４０からベースステーション１０まで前記信号を介して伝送されるダウンリンクフレームとの両方が存在する。
【００３３】
例えば前記自動車のイグニションキーの作動に続いて、前記自動車と機能的及び空間的に関連付けられたベースステーション１０は、アップリンクフレーム２２を介してトランスポンダステーション４０に伝送される“挑戦（Challenge）”として知られる信号を生成し始める。この後に、トランスポンダステーション４０における、好ましくは少なくとも１つのマイクロプロセッサを備えた電子回路構成４２が、“応答（Response）”として知られる信号トレインを計算する。この応答信号は、この場合、トランスポンダステーション４０からダウンリンクフレーム２４を介してベースステーション１０に伝送される。このデータ交換は、原理的に任意である認証手順の中心部を形成する。
【００３４】
認証又は識別の間に、トランスポンダステーション４０が一般に暗号方法を使用して有効と認識された場合に限り、前記自動車のエンジンは記載された実施例において始動される。
【００３５】
全ての条件下及び全ての状況においてＬＣ共振回路１３、１６の好ましくは安定な所望の共振周波数を保証するために、図２及び３の２つの実施例を参照して下に説明されるように、本発明による方法は、単純な手段を使用してＬＣ共振回路１３、１６の較正を行う。このために、ＬＣ共振回路の共振周波数の較正又は調整は、前記システムの実行時間の間に単一の正確な基準周波数を用いて及び少数の追加の構成要素を用いて行われる。
【００３６】
図２及び３からわかるように、ＬＣ共振回路１３、１６は、
容量ユニット（図２参照）又は誘導ユニット（図３参照）の形式の第１素子１７と、
第１素子１７に直列接続された調整レジスタ１８と、
を備えた追加のＲＣ同調回路１７、１８を使用して所望の共振周波数に同調されることができる。マイクロコントローラ１４のクロックから算出された周波数は、この目的で基準として使用されることができる。周波数設定は、制御回路を介して自動的に行われることができる。
【００３７】
図３に示された第２実施例において、周波数測定を備えたベースステーション１０は、制御コマンドを介して、前記基準周波数がＬＣ共振回路１３、１６を起動するために使用され、同時に、例えば第１レジスタ１１に割り当てられたベースユニット３０の出力端子における信号と、第２レジスタ１５に割り当てられたベースユニット３０の出力端子における信号との間の位相測定によって、ＬＣ共振回路１３、１６の実際の共振周波数が決定されるモードに切り替えられることができる。
【００３８】
ＬＣ共振回路１３、１６の実際の共振周波数を追跡するために、可変に調整可能なレジスタ１８の値が変更される。これは、測定された共振周波数が十分正確に前記基準周波数と一致するまで、任意の制御アルゴリズムに応じて、例えば逐次近似の原理により続行される。記載されたアルゴリズムは、望まれるだけ頻繁に繰り返されることができ、結果として、温度及び／又はエージング効果が補償されることもでき、これは前記共振周波数の精度を大幅に増大する。
【図面の簡単な説明】
【００３９】
【図１】従来技術からの一実施例によるベースステーションと関連付けられたトランスポンダステーションとの間の誘導結合に基づく通信原理の概略的な回路図を示す。
【図２】本発明の第１実施例によるベースステーションと関連付けられたトランスポンダステーションとの間の誘導結合に基づく通信原理の概略的な回路図を示す。
【図３】本発明の第２実施例によるベースステーションと関連付けられたトランスポンダステーションとの間の誘導結合に基づく通信原理の概略的な回路図を示す。
【符号の説明】
【００４０】
１００：電子通信システム
１０：ベースステーション
１１：ベースユニット３０の第１レジスタ
１２：ベースユニット３０のマイクロコントローラユニット
１２ａ：マイクロコントローラ１２のクロック出力
１３：ベースユニット３０の容量ユニット
１４：ベースユニット３０の（アナログ）インターフェース
１５：ベースユニット３０の第２レジスタ
１６：ベースユニット３０のアンテナユニット
１７：少なくとも１つの容量ユニットの形式又は少なくとも１つの誘導ユニットの形式の第１素子
１８：調整レジスタ
１９：Ｄ［デジタル］／Ａ［アナログ］変換器ユニット
２０：電力
２２：例えばＬＦ（低周波）チャネルの形式のアップリンクフレーム
２４：例えばＬＦ（低周波）チャネルの形式のダウンリンクフレーム
３０：ベースユニット、特にトランスポンダ通信装置
４０：トランスポンダステーション
４２：トランスポンダステーション４０の回路構成
４４：トランスポンダステーション４０のアンテナユニット
【図１】
2006526329.tif 000003
【図２】
2006526329.tif 000004
【図３】
2006526329.tif 000005
【国際調査報告】
2006526329.tif 000006
2006526329.tif 000007